(57)【特許請求の範囲】
【請求項１】
容器口部に注出筒を具えた中栓を嵌合した液注出容器において、
中栓は、内筒と外筒および注出筒を立設した上壁とからなり、
外筒の上端周縁から連結部を介して、外筒下端よりも下方に外筒の全周を覆って延びる外周壁を連接し、外筒と外周壁との間に一定巾の間隙を形成し、連結部に切断不能な肉厚部と、切り裂き可能な薄肉部が設けられていることを特徴とする液注出容器の中栓。
【請求項２】
容器口部に注出筒を具えた中栓を嵌合した液注出容器において、
容器口部は、その上端内周に係合段部を形成し、その下方に凹溝を刻設しており、
中栓は、内筒と注出筒を立設した上壁と外筒とからなり、内筒外周には、前記口部の係合段部に嵌合する拡径係合部と、前記凹溝に嵌合する膨出環が設けられ、容器口部内周に締め代をもって嵌合しており、
口部天面に接合する上壁の下面には、一定角度範囲の切断不能な厚肉部を残して周方向に延びる切断溝が設けられており、
外筒は、容器口部外周に全周にわたって遊合されており、切断溝の始端に接合する縦溝が刻設されていることを特徴とする液注出容器の中栓。
【発明の詳細な説明】
【０００１】
【発明の属する技術分野】
本発明は、液注出容器の中栓、とくに分別廃棄を容易にするとともに不正行為の有無を確認できるようにした中栓に関する。
【０００２】
【従来の技術】
容器口部上端部に、注出筒天面にバージンシールを貼着した中栓を被嵌した化粧料、食料品等の液注出容器、例えば、図９に示すような容器は、従来より知られている。
図９において、Ａｂは容器、Ｂｂは中栓である。
容器の口部ａの上端部は、縮径嵌合部ｂとなっており、上端外周には、嵌合突条ｃが突設されている。
【０００３】
中栓Ｂｂは、内筒ｄと外筒ｅおよび上壁ｆとを具えており、外筒ｅには、口部ａの嵌合突条ｃに係合する嵌合突条ｇが設けられている。
上壁ｆの中央部には、注出孔を穿孔した注出筒ｈが立設されており、注出筒ｈの天面には、バージンシールｉが貼着されている。
上記液注出容器は、内容物充填後に容器口部ａに中栓Ｂｂを打栓し、注出筒ｈ天面にバージンシールｉを貼着することによって容器内部を密封し、外気が容器内部に侵入することを防いで、雑菌の侵入、内容物の酸化などにより内容物が変質しないようにしている。
【０００４】
【発明が解決しようとする課題】
しかしながら、近年、過剰包装の回避、資源の節約が求められ、キャップを被せただけで、その上から密封包装しないで店頭に陳列し、販売されるようになっている。
そうした場合、商品を手に取りキャップを開いて、故意または過失によりバージンシールを剥がしたり、時には、中栓をこじ開け異物を混入するという犯罪的行為すら行われる可能性がある。
【０００５】
そうした不正行為の有無を点検するために、キャップを開いてシールや中栓の嵌合部を観察することが行われるが、中栓がこじ開けられ不正行為が行われた後に再び中栓が被嵌されると、中栓がこじ開けられたか否かを簡単に視認できないという問題点があった。
【０００６】
また、近年、使用後の容器の廃棄にあたっては、資源の再利用のため、異種の樹脂が混入しないよう容器と中栓を分別して廃棄することが求められている。
しかし、上記従来の液注出容器では、中栓の嵌着を強くしており、簡単に取り外すことができなくなっている。
各家庭では、ドライバーやナイフ、その他金属製のへら状物を中栓の外筒下端と容器口部との間に差し込み、中栓をこじ開け取り外すようにしているが、それも簡単ではなく、大部分の家庭では、分別しないでそのまま廃棄しているのが現状であるという問題があった。
【０００７】
本発明は、上記の問題点を解決することを課題として、注出容器の廃棄にあたって、中栓を容易に取り外すことができ、かつ、店頭陳列時に、故意、過失による不正行為が行われたか否かを簡単に判別確認できるようにした液注出容器の中栓を提供することを目的とする。
【０００８】
【課題を解決するための手段】
本発明は、上記の課題を解決するため、液注出容器の中栓として、容器口部に注出筒を具えた中栓を嵌合した液注出容器において、中栓は、内筒と外筒および注出筒を立設した上壁とからなり、外筒の上端周縁から連結部を介して、外筒下端よりも下方に外筒の全周を覆って延びる外周壁を連接し、外筒と外周壁との間に一定巾の間隙を形成し、連結部に切断不能な肉厚部と、切り裂き可能な薄肉部が設けられていることを特徴とする構成を採用する。
【０００９】
別実施形態の中栓として、容器口部に注出筒を具えた中栓を嵌合した液注出容器において、容器口部は、その上端内周に係合段部を形成し、その下方に凹溝を刻設しており、中栓は、内筒と注出筒を立設した上壁と外筒とからなり、内筒外周には、前記口部の係合段部に嵌合する拡径係合部と、前記凹溝に嵌合する膨出環が設けられ、容器口部内周に締め代をもって嵌合しており、口部天面に接合する上壁の下面には、一定角度範囲の切断不能な厚肉部を残して周方向に延びる切断溝が設けられており、外筒は、容器口部外周に全周にわたって遊合されており、切断溝の始端に接合する縦溝が刻設されていることを特徴とする構成を採用する。
【００１０】
【発明の実施の形態】
次に、本発明の第１実施形態について、図面を参照して説明する。
図１，２において、Ａは容器、Ｂは中栓、Ｃはキャップである。
容器Ａは、ガラスまたは合成樹脂を用いて形成されており、化粧料、食料品などが収容されている。
中栓Ｂ、キャップＣは、容器Ａとは異なる合成樹脂をもって成形されている。
【００１１】
容器Ａは、口部１と肩部２、胴部３と、底部とからなっており、口部１には、その上端周縁に嵌合突条４を突設した縮径嵌合部５が設けられており、縮径嵌合部５の下端には、拡径された段部６が形成されている。
該段部６の下方は、拡径されており、その外周には、ねじ７が螺設され、下端には、ネックリング８が突設されている。
胴部３は、断面円形又は楕円形或いは角形であり、内容物によっては、容器を合成樹脂で成形し、スクイズ可能とすることもできる。
【００１２】
図２，３に示すように、中栓Ｂは、口部１の縮径嵌合部５に嵌合する内筒１０と外筒１１、および上壁１２とを具えている。
内筒１０は、容器の口部１の内周に締め代をもって嵌合し、容器内部を密封しており、外筒１１は、下端に口部１の嵌合突条４に係合する嵌合突条１３を設けている。
上壁１２には、その上面周縁から外方に連結部１４を介して外筒１１の外側で外筒１１下端よりも下方に延びる外周壁１５が連接されている。
【００１３】
外周壁１５の所定の位置には、縦方向に延びるスリット１６が穿設されており、外周壁１５の内周面には、前記スリット１６から等間隔をおいて、薄肉を残して上下方向に延びる縦溝１７が刻設されている。
スリット１６の右側の外周壁１５の下端には、摘み部１８が設けられている。
【００１４】
前記連結部１４は、スリット１６の左側に一定の長さの切断不能な厚肉部１９を残して薄肉部２０となっており、縦溝１７、薄肉部２０によって弱化ラインが形成されている。
【００１５】
上壁１２の上面には、中央に注出孔２１を穿孔した注出筒２２が立設されている。
注出筒２２の上面には、バージンシール２３が貼着されている。
【００１６】
キャップＣは、図１に示すように、頂壁２４と側周壁２５とからなり、頂壁２４の下面には、注出孔２１を密封するパッキンが装着されており、側周壁２５内周には、口部１のねじ７に螺合するねじが螺設されている。
【００１７】
キャップＣは、透明または着色された不透明な合成樹脂によって形成され、中栓の外観が外部から視認することができるようになっている。
【００１８】
次に、本実施形態の作用効果について説明する。
本注出容器は、内容物が充填された後に中栓Ｂが打栓され、次いで、バージンシール２３が貼着される。
キャップＣが被蓋された液注出容器は、キャップＣを密封する包装をしないで出荷され、店頭に陳列される。
陳列時に、容器Ａを手に取りキャップＣを開いて、故意または過失によりバージンシール２３を剥がしたり、中栓Ｂの外周壁１５の摘み部１８を引っ張りあげたりする行為、さらには、道具を用いて中栓Ｂをこじ開け、異物を混入するというような犯罪的行為が行われる可能性がある。
【００１９】
摘み部１８を引っ張りあげた場合には、その上方の弱化ラインが切れて、摘み部１８の外周壁１５が垂れ下がり、また、中栓Ｂをこじ開けるためには、外周壁１５の下端をめくり上げなければならないから、こじ開けられた部分の外周壁１５の両側の縦溝１７が切れ、外周壁１５の下端がまくれたり、縦溝１７とともに薄肉部２０が切られて、外周壁１５上端がずれたりするので、不正行為が行われたことを直ぐに判別することができる。
また、キャップＣが透明である場合には、キャップＣの外からバージンシール２３、外周壁１５の状況を見ることができるので、不正行為の有無をキャップＣを閉じたままで確認することができる。
【００２０】
使用済みの容器の廃棄にあたっては、摘み部１８をもって外周壁１５を引き廻していくと、図４に示すように、連結部１４の薄肉部２０が引き裂かれ、厚肉部１９が残るので、その下方の外周壁１５をつかんで上方に引っ張りあげると、中栓Ｂを取り外すことができる。
したがって、何らの道具を使用しなくても容易に分別廃棄することができる。
【００２１】
次に、第２実施形態について説明する。
図５において、Ａａは口部３０と肩部３１、胴部３２と底部とからなる容器、Ｂａは中栓、Ｃａはキャップである。
図５，６に示すように、容器Ａａの口部３０の内周上端には係合段部３３が設けられ、その下方には周方向に延びる凹溝３４が刻設されている。
口部３０の外周には、上端から一定の距離を隔ててねじ３５が螺設され、その下方には、ネックリング３６が突設されており、肩部３１に続いている。
【００２２】
図７に示すように、中栓Ｂａは、内筒４０、外筒４１と上壁４２とを具えている。
内筒４０の外周には、上端に口部３０の係合段部３３に締め代をもって係合する拡径係合部４３が設けられ、外周中間部には、凹溝３４に嵌合する膨出環４４が設けられている。
上壁４２の上面には、中央に注出孔４５を穿孔した注出筒４６が立設されており、口部３０天面に接合する上壁４２の下面４７には、一定角度範囲の切断不能な厚肉部を残して、周方向に延びる切断溝４８が刻設されている。
【００２３】
外筒４１は、口部３０外周に遊合され、その内周には、切断溝４８の始端４８ａに接続する縦溝４９が刻設され、切断溝４８と縦溝４９によって弱化ラインが形成され、縦溝４９の下端に続いて外筒４１下端には、切欠部５０が設けられている。
注出筒４６の上面には、バージンシール５１が貼着されている。
【００２４】
キャップＣａは、図５に示すように、頂壁５２と側周壁５３とからなり、無色透明または着色された不透明な合成樹脂によって成形されている。
頂壁５２の下面中央には、注出筒４６上面を密封するパッキンが装着されており、側周壁５３にはねじが螺設されている。
【００２５】
次に、本実施形態の作用効果について説明すると、店頭に陳列されている場合に、キャップＣａを開いて、故意または過失によりバージンシール５１をはがしたり、中栓Ｂａをこじ開けたりするなどの不正行為が行われる可能性がある。
しかし、中栓Ｂａは、その外筒４１の切欠部５０を開いて、弱化ラインを切り裂き、切り離された部分をつかんで外筒４１を引き上げると、中栓Ｂａを容易に抜栓することができるが、そのときには、縦溝４９とそれに続く切断溝４８の部分の外筒が変形するので、不正行為の有無を容易に視認判別することができる。
【００２６】
とくに、キャップＣａが透明である場合には、キャップの外からみて容易に確認することができる。
【００２７】
使用後の廃棄にあたっては、図８に示すように外筒４１の切欠部５０から縦溝４９を切り裂き、次いで、外筒４１を引き廻していくと切断溝４８が切断され、外筒４１の切断された部分、或いは残部の外筒４１の下端をつかんで引っ張りあげると中栓Ｂａは容易に抜栓することができ、容器Ａａと中栓Ｂａとの分別廃棄ができる。
【００２８】
【発明の効果】
本発明は、上記のように構成されているから、次の効果を奏する。
中栓の外筒、または外筒に連設した外周壁に、一定範囲の厚肉部を残して弱化ラインを設けたから、外筒または外周壁の弱化ラインを切断して切り離された部分をつかんで引き上げると、中栓を容易に抜栓することができ、店頭陳列時に中栓がこじ開けられた場合には、弱化ラインが切れて変形するので、不正行為の有無を容易に視認判別することができる。
【図面の簡単な説明】
【図１】本発明第１実施形態の液注出容器の斜視図である。
【図２】容器の口部と中栓の一部断面立面図である。
【図３】中栓の説明図で、（ａ）は正面図、（ｂ）は底面図、（ｃ）は図（ｂ）のＡ−Ａ線における断面図である。
【図４】中栓の抜栓を説明する斜視図である。
【図５】  第２実施形態の液注出容器の斜視図である。
【図６】  容器の口部と中栓の一部断面立面図である。
【図７】  中栓の説明図で、（ａ）は正面図、（ｂ）は底面図である。
【図８】  中栓の抜栓を説明する斜視図である。
【図９】  従来例の容器を説明する一部断面立面図である。
【符号の説明】
Ａ、Ａａ、Ａｂ    容器
Ｂ、Ｂａ、Ｂｂ    中栓
Ｃ、Ｃａ          キャップ
１、３０、ａ      口部
４、ｃ            嵌合突条
５、ｂ            縮径嵌合部
６                段部
１０、４０、ｄ    内筒
１１、４１、ｅ    外筒
１２、４２、ｆ    上壁
１３、ｇ          嵌合突条
１４              連結部
１５              外周壁
１６              スリット
１７、４９        縦溝
１８              摘み部
１９              厚肉部
２０              薄肉部
２１、４５        注出孔
２２、４６、ｈ    注出筒
２３、５１、ｉ    バージンシール
３３              係合段部
３４              凹溝
４３              拡径係合部
４４              膨出環
４８              切断溝
５０              切欠部
【図１】
0004064054.tif 000002
【図２】
0004064054.tif 000003
【図３】
0004064054.tif 000004
【図４】
0004064054.tif 000005
【図５】
0004064054.tif 000006
【図６】
0004064054.tif 000007
【図７】
0004064054.tif 000008
【図８】
0004064054.tif 000009
【図９】
0004064054.tif 000010